(57)【要約】【課題】自閉式引き戸装置において、自閉作動する戸体を、戸体の出入り方向の負荷で緊急停止できるように構成する。【解決手段】戸体１の上部から突設した案内ローラ４を戸先側ローラユニット２の第一ベースプレート８に軸承し、前記案内ローラ４を躯体開口部上方に設けた案内レール６に移動自在に支持する構成とし、前記第一ベースプレート８を、戸体１とともに出入り方向に移動する第二ベースプレート９に対して相対移動自在に設けて、該第一ベースプレート８の第二ベースプレート９に対する相対移動に連動してブレーキ装置を構成するブレーキユニット１４が案内ローラ４の移動規制をするように構成する。【選択図】図６
2008111239.tif 000002
【特許請求の範囲】
【請求項１】
戸体の上部から突設した案内ローラを、躯体開口部上方に設けた案内レールに移動自在に支持し、戸体の閉鎖作動については自閉する自閉式引き戸装置において、案内ローラの案内レールへの支持部に、戸体に出入り方向の負荷が作用したことに連動して、案内ローラの移動規制をするブレーキ装置が設けられている自閉式引き戸装置。
【請求項２】
案内ローラは支持ブラケットに支持されるものとし、該支持ブラケットを、戸体に対する出入り方向の相対移動が自在となるように設け、ブレーキ装置は、支持ブラケットの前記相対移動に連動して案内ローラを移動規制するように構成されている請求項１に記載の自閉式引き戸装置。
【請求項３】
戸体は、案内ローラが一体的に連結される枠部と、該枠部に出入り方向揺動自在に設けられる戸部とにより構成されるものとし、ブレーキ装置は、戸部の枠部に対する揺動に連動して案内ローラの移動規制をするように構成されている請求項１に記載の自閉式引き戸装置。
【請求項４】
ブレーキ装置は、案内ローラと案内レールとのあいだに形成される隙間に係止する楔状のロック体と、該ロック体を戸体への負荷により作動する部材に連動連結する作動ワイヤとを用いて構成されている請求項１乃至３の何れか１項に記載の自閉式引き戸装置。
【発明の詳細な説明】
【技術分野】
【０００１】
本発明は、病院や役所のような公共施設等に設けられる自閉式引き戸装置の技術分野に属するものである。
【背景技術】
【０００２】
一般に、自閉式引き戸装置は、戸体の上部から突設した案内ローラを、躯体開口部上方に設けた案内レールに移動自在に支持させるとともに、前記案内レールを開放方向ほど高位に位置する傾斜状に設置する、あるいは、戸体に該戸体の開放作動に伴い閉鎖方向に付勢する自閉装置を設置する等の構成として、戸体が自動的に閉鎖作動するように構成されている。
【０００３】
このような自閉式引き戸装置としては、開口部に傾斜状の案内レールを設ける一方、戸体上端部の左右方向二箇所に位置して上方に突出する支持ブラケットを設け、これら支持ブラケットに案内ローラをそれぞれ回転自在に設けて、これら案内ローラを案内レールに移動自在に支持させるようにしたものが提唱されている。
【特許文献１】特開２００２−４７０３
【発明の開示】
【発明が解決しようとする課題】
【０００４】
ところが、前記従来のものは、開放された戸体は自動的に閉鎖作動する構成であるので、例えば、閉鎖作動中の戸体に人が当接して出入り方向の負荷が作用したような場合であっても閉鎖作動が継続される。このため、高齢で身体が不自由になったような人が戸体にあたったような場合では、自閉する戸体により転倒等の惧れがある。これに対処するには、戸体に例えば出入り方向の負荷が作用したような場合に、戸体の自動閉鎖を停止させる構成を付加することが要求されるが、未だそのような構成のものは提案されることはなく、ここに本発明の解決すべき課題がある。
【課題を解決するための手段】
【０００５】
本発明は、上記の如き実情に鑑みこれらの課題を解決することを目的として創作されたものであって、請求項１の発明は、戸体の上部から突設した案内ローラを、躯体開口部上方に設けた案内レールに移動自在に支持し、戸体の閉鎖作動については自閉する自閉式引き戸装置において、案内ローラの案内レールへの支持部に、戸体に出入り方向の負荷が作用したことに連動して、案内ローラの移動規制をするブレーキ装置が設けられている自閉式引き戸装置である。
請求項２の発明は、案内ローラは支持ブラケットに支持されるものとし、該支持ブラケットを、戸体に対する出入り方向の相対移動が自在となるように設け、ブレーキ装置は、支持ブラケットの前記相対移動に連動して案内ローラを移動規制するように構成されている請求項１に記載の自閉式引き戸装置である。
請求項３の発明は、戸体は、案内ローラが一体的に連結される枠部と、該枠部に出入り方向揺動自在に設けられる戸部とにより構成されるものとし、ブレーキ装置は、戸部の枠部に対する揺動に連動して案内ローラの移動規制をするように構成されている請求項１に記載の自閉式引き戸装置である。
請求項４の発明は、ブレーキ装置は、案内ローラと案内レールとのあいだに形成される隙間に係止する楔状のロック体と、該ロック体を戸体の負荷により作動する部材に連動連結する作動ワイヤとを用いて構成されている請求項１乃至３の何れか１項に記載の自閉式引き戸装置である。
【発明の効果】
【０００６】
請求項１、２、３の発明とすることにより、戸体への負荷により自閉する戸体を緊急停止させることができて、身体の不自由な人であっても開口部の出入りを安全、かつ、容易に行える。
請求項２の発明とすることにより、従来の戸体に対し支持ブラケットの構成を変えることで、自閉を緊急停止させることのできる自閉式引き戸装置を構成することができる。
請求項４の発明とすることにより、ロック体を直接案内ローラに干渉させて戸体を停止させるので、応答性のよいブレーキ装置とすることができる。
【発明を実施するための最良の形態】
【０００７】
つぎに、本発明の第一の実施の形態について、図面に基づいて説明する。
図面において、１は建物の開口部を開閉する自閉式引き戸装置を構成する戸体であって、該戸体１は、上端部に左右一対（戸先側と戸尻側）のローラユニット２、３が設けられており、これらローラユニット２、３には、それぞれ案内ローラ４が回転自在に軸承されている。
一方、５は躯体開口部の上部から、開口部の一方の側部を構成する躯体上部に至る部位を構成する枠体であって、該枠体５の前面（屋外側面）には案内レール６が固定されている。前記案内レール６は、前方に突出し、該突出先端を上方に向けて折曲することでＬ字形に形成されたレール片６ａを備えて構成されており、レール片６ａの上端部に形成されたレール本体部６ｂが一体形成されている。このように構成された案内レール６は、枠体５に対し、開口部一方側（図１において右方であって戸尻側）ほど高位となる傾斜状態で取り付けられている。
また、戸体１側の案内ローラ４は、外周面にリング状凹部４ａが凹設されており、該リング状凹部４ａを、上方からレール本体部６ｂに外嵌させることにより係止され、案内レール６上を左右方向移動自在な状態で支持されるように設定されている。そして、戸体１は、開口部に位置して開口部を閉鎖する全閉位置と、開口部の一方（戸尻側）の側部屋外側に位置して開口部を開放する全開位置とのあいだを左右方向移動自在に変位して開口部を開閉するが、このとき、戸体１は、開放作動については使用者による手動によってなされるが、使用者が手を放すことにより、戸体１は傾斜状の案内レール６を自重に基づいて自動的に閉鎖作動（自閉）するように構成されており、これらの基本構成は、何れも従来通りとなっている。
【０００８】
そして、前記ローラユニット２、３のうち、戸尻側のローラユニット３は、戸体１の上端面１ａに一体的に固定される戸体支持片７ａと、該戸体支持片７ａから上方に突出するローラ支持片７ｂとが一体に形成される支持ブラケット７と、ローラ支持片７ｂに回転自在に軸承される案内ローラ４とを備えて構成されている。そして、戸尻側ローラユニット３は、戸体支持片７ａの左右両端部に位置して、前後方向に長く開設された長孔７ｄが形成されており、これら長孔７ｄに挿入した固定ボルト７ｅを戸体上端面１ａに螺合することにより、戸体１に前後方向位置調整された状態で固定されるように設定されている。尚、７ｆは、戸体１と支持ブラケット７とのあいだに介装された高さ調整用スペーサである。
【０００９】
一方、戸先側のローラユニット２には、本発明のブレーキ装置が設けられており、該ブレーキ装置を構成する第一、第二ベースプレート８、９は、戸体１の上端面１ａ戸先側に上下方向積層状に配設されるように設定されている。
これら第一、第二ベースプレート８、９のうち、上側に位置して積層される第一ベースプレート８は、戸体上端面１ａと平行となる第一支持片８ａと、該第一支持片８ａから上方に突出し、案内ローラ４が回転自在に軸承されるローラ支持片８ｂとが一体に形成されており、該第一ベースプレート８が本発明の支持ブラケットに相当している。
さらに、第一ベースプレート８は、第一支持片８ａ左右両端部の前縁側に位置して、先端がローラ支持片８ｂよりも前方に突出する第一突片８ｄが一体形成されており、これら第一突片８ｄの先端部に、それぞれ上方に向けて起立する一対の起立片８ｅが一体形成されている。一方、１０は第一ベースプレート８に一体的に固定されるＵ字形の固定アームであって、該固定アーム１０は、連結片１０ａと、該連結片１０ａの左右端部から下方に延出する一対の脚片１０ｂとを備えて構成されており、一対の脚片１０ｂが前記一対の起立片８ｅの前面に螺子１０ｃを用いてそれぞれ固定されている。そして、前記連結片１０ａの左右方向中央部には、ローラ支持片８ｂ側（後方）に向けて折曲されたワイヤ支持片１０ｄが形成されており、該ワイヤ支持片１０ｄに、後述する作動ワイヤ１１が貫通するワイヤ貫通孔１０ｅが開設されている。
さらに、第一支持片８ａには、左右両端部に位置して前後方向に長い第一長孔８ｆがそれぞれ開設されているとともに、起立片８ｅには、上下方向中間部に位置して板厚を左右方向に貫通する第一支持孔８ｇが開設されている。
【００１０】
また、第二ベースプレート９は、戸体上端面１ａに積層されて、戸体１に一体化される第二支持片９ａと、該第二支持片９ａの前縁部前方に突出する第二突片９ｂとを備えて構成されるが、前記第二突片９ｂは、第一ベースレート８の一対の突片８ｄのあいだに位置し、かつ、第一突片８ｄと同位置にまで突出して形成されている。さらに、第二突片９ｂには、丁番１２を介して作動片１３が揺動自在に連結されており、該作動片１３は、第二突片９ｂに対して直交状に起立する起立姿勢としたとき、直上に固定アーム連結片１０ａに形成されたワイヤ支持片１０ｄが対向するとともに、左右に起立片８ｅがそれぞれ対向する位置関係となるように設定されている。そして、作動片１３は、前記丁番１２を介して起立姿勢から前後方向に揺動自在となっているが、上端面１３ａの左右方向中央部位に位置して、作動ワイヤ１１の基端部がフック１３ｂを介して一体的に固定されるように設定されている。
さらに、第二支持片９ａの左右両端部には、前後方向に長い第二長孔９ｃがそれぞれ開設されるが、これら第二長孔９ｃは、前記第一ベースプレート８の第一長孔８ｆと同位置に形成されており、第二長孔９ｃの前後長さは第一長孔８ｆよりも短く、左右幅は、後述する固定ボルト１８の軸部１８ｂ外径よりも僅かに長いが、スペーサ１８ａの外径よりも短い寸法に設定されている。
【００１１】
また、作動片１３の左右両端面には、板厚を左右方向に長く凹設することにより第二支持孔１３ｃが凹設されており、該第二支持孔１３ｃは、作動片１３を起立姿勢としたとき、左右に対向する第一ベースプレート起立片８ｅに形成された第一支持孔８ｇと対向するように設定されている。そして、これら第一、第二支持孔８ｇ、１３ｃには、後述するように、枢支ピン１９が抜け止め状に挿通されるように設定されており、このようにすることにより、起立片８ｅと作動片１３とが連動するように設定されている。ここで、第二支持孔１３ｃの形成位置は、作動片１３の揺動支持部である基端縁（下端縁）から第二支持孔１３ｃの孔中心までの下方部位の長さＨ１が、第二支持孔１３ｃの孔中心から作動ワイヤ１１の延出位置までの上方部位の長さＨ２よりも短くなる（Ｈ１＜Ｈ２）ように設定されている。
【００１２】
１４は、ブレーキ装置を構成するブレーキユニットであって、該ブレーキユニット１４を構成する第一固定片１５はＬ字形に形成されており、一方の脚片であって、左右方向を向く左右脚片１５ａが、第一ベースプレート８のローラ支持片８ｂ下方部位の屋外側面に沿って一体的に固定されるように設定されている。そして、第一固定片１５の他方の脚片であって、上下方向を向く上下脚片１５ｂは、Ｌ字形に形成される第二固定片１６の上下方向を向く上下脚片１６ａの前面に一体的に固定されている。前記第二固定片１６の左右方向を向く左右脚片１６ｂは、第一、第二固定片１５、１６の上下脚片１５ｂ、１６ａから戸先側に突出しており、該第二固定片左右脚片１６ｂの左方には左右方向に長い長孔１６ｃが形成されるとともに、右方にはバネ支持用のピン体１６ｄが固定されている。
【００１３】
一方、１７は、ブレーキユニット１４を構成するロック体であって、該ロック体１７は、戸尻側を向く先端が楔状のロック片１７ａに形成され、戸先側を向く基端部１７ｂに、前記第二固定片長孔１６ｃに前方から挿入されて長孔１６ｃ内を移動自在に貫通する固定支持ピン１７ｃの先端に一体化されている。尚、固定支持ピン１７ｃは、前方に突出する頭部１７ｄが第一固定片１５の前面より前方に突出する固定状態となっている。そして、ロック体１７は、固定支持ピン１７ｃが長孔１６ｃ内を長手方向（左右方向）に変位することに伴い一体に変位するように構成されているが、固定支持ピン１７ｃとピン体１６ｄとのあいだには弾機１７ｅが介装されており、これによって、固定支持ピン１７ｃを長孔１６ｃの戸先側端縁に向けて付勢するように設定されている。
【００１４】
そして、ブレーキユニット１４は、固定支持ピン１７ｃが弾機１７ｅの付勢力を受けて長孔１６ｃの戸先側端縁に係止する状態では、ロック体１７を戸先側に位置せしめており、この状態では、ロック片１７ａが案内ローラ４に干渉しない非作用姿勢となるように設定されている。そして、後述するように、固定支持ピン１７ｃが弾機１７ｅに抗して第二固定片長孔１６ｃ内を強制的に戸尻側に変位して長孔１６ｃの戸尻側端縁に係止する状態になると、ロック体１７が固定支持ピン１７ｃとともに戸尻側に変位して、楔状のロック片１７ａが、案内ローラ４と案内レール６とのあいだの隙間部位に直接入り込んで案内ローラ４に当接（干渉）し、案内ローラ４の回転を規制する作用姿勢となるように設定され、これによって、戸体１の自閉作動の停止を瞬時に停止させることができて、応答性のよいブレーキ装置となっている。
尚、ロック体１７の下面は、案内レール６のレール本体部６ｂに嵌合するべく凹溝部１７ｆが形成されており、戸先側のローラユニット２を案内レール６に組み込んだとき、ロック体１７が案内ローラ４とともにレール本体部６ｂに外嵌状に係止されるように設定されており、固定支持ピン１７ｃの変位に伴いロック体１７が非作用姿勢と作用姿勢とのあいだを強制的に変姿（変位）する場合に、レール本体６ｂによる移動案内を受けられるように設定されている。
【００１５】
そして、戸先側ローラユニット２は、予め第二ベースプレート９を戸体上端面１ａに対して位置決め状にあてがい、該第二ベースプレート９上に第一ベースプレート８を載せ、固定ボルト１８を用いて戸体１に固定することにより取り付けられるが、このとき、固定ボルト１８には、第一ベースプレート８の第一支持片８ａの板厚よりも長い軸方向長さを備えたスペーサ１８ａが外嵌している一方、第一支持片８ａに開設されている各長孔（第一長孔）８ｆには、固定ボルト１８の前後を挟むように一対の圧縮弾機８ｈがそれぞれ設けられている。さらに、第二長孔９ｃの孔幅は固定ボルト１８の軸部１８ｂの外径よりも長く、スペーサ１８ａの外径よりも短く設定され、第一長孔８ｆの孔幅はスペーサ１８ａの外径よりも長くなるように設定されている。
これによって、固定ボルト１８を、第一長孔８ｆ、第二長孔９ｃに貫通せしめて戸体上端面１ａに螺合する場合に、スペーサ１８ａの下端面が第二ベースプレート９の第二長孔９ｃの孔縁に突き当てた状態で緊締することにより、第一、第二ベースプレート８、９とのあいだに隙間Ｓが形成され、かつ、スペーサ１８ａの下端面が第二長孔９ｃの孔縁に強く押し付けられることにより固定ボルト１８と第二ベースプレート９と戸体１とが一体化するように設定されている。これによって、固定ボルト１８は、第一長孔８ｆに対しては遊嵌状に貫通し、固定ボルト１８、第二ベースプレート９、戸体１とは一体化された状態となり、固定ボルト１８が圧縮弾機８ｈに抗した状態で第一長孔８ｆ内を変位することに伴い、固定ボルト１８、第二ベースプレート９、戸体１とが、第一ベースプレート８に対し、第一長孔８ｆのストローク内において前後方向の移動が許容され、もって、第一ベースプレート８が戸体１に対して出入り方向の相対移動が自在となるように構成されている。
【００１６】
このように、戸体１に戸先側、戸尻側ローラユニット２、３を取り付け、これらローラユニット２、３の案内ローラ４を案内レール６のレール本体部６ｂに外嵌することで戸体１の組み込みがなされるが、このとき、ブレーキユニット１４のロック体１７は、前述したように、凹溝部１７ｆが案内レール６のレール本体部６ｂに外嵌係止されるように設定されている。
また、前記組み込み状態において、戸体１が自然垂下する自然状態では、第一、第二ベースプレート８、９とは、図６の実線で示すように、前後両側縁部同士が略同位置に位置する非作動状態となっている。そして、この状態において、各起立片８ｅおよび作動片１３とに開設され、互いに連通状態となっている第一、第二支持孔８ｇ、１３ｃに対し、前述したように枢支ピン１９をそれぞれ抜け止め状に挿通することにより、第一、第二ベースプレート８、９とが連動するように構成されている。そして、第一、第二ベースプレート８、９の非作動状態では、第二ベースプレート９側の作動片１３は、第二支持片９ａに対して直立する起立姿勢となり、該作動片１３と第一ベースプレート８側の左右一対の起立片８ｅとの前後方向位置が一致する位置関係となるように設定されている。
【００１７】
また、前記作動ワイヤ１１は、基端を作動片１３に固定し、遊端を第一ベースプレート８に連結された固定アーム連結片１０ａのワイヤ貫通孔１０ｅを下側から上側に向けて挿通する状態で上方に引き出し、該引き出し端部を、ワイヤ貫通孔１０ｅよりも戸先側、かつ、上方に位置し、ブレーキユニット１４のロック体１７が一体的に連結される固定支持ピン１７ｃの頭部１７ｄに戸先側から懸け回されている。さらに、作動ワイヤ１１の遊端は、ローラ支持片８ｂの上端部であって、固定支持ピン１７ｃの配設位置よりも上方、かつ、戸尻側に位置して設けられたワイヤ固定ピン８ｉに固定されており、これによって、作動ワイヤ１１は、戸体１側の部材（第二ベースプレート９に配された作動片１３）とブレーキユニット１４とを連結する状態で張設されている。
このとき、作動ワイヤ１１の張力（引っ張り力）は、前記第一、第二ベースプレート８、９の非作動状態において、弾機１７ｅの付勢力を受ける固定支持ピン１７ｃを戸先側に保持する状態、即ち、ロック体１７を、ロック片１７ａが案内ローラ４に干渉しない非作用姿勢に維持する状態にバランス設定されている。
【００１８】
そして、戸体１が垂下する自然状態から、戸体１に出入り方向（前後方向）何れか一方（本実施の形態では前方（屋外側）であって、図６において矢印Ｘ方向）の負荷が作用した場合では、固定ボルト１８は、図６の仮想線で示すように、戸体１の荷重が作用している第一ベースプレート８に対し、第一ベースプレート第一長孔８ｆの前記Ｘ方向に配された圧縮弾機８ｈに抗する状態で、戸体１と第二ベースプレート９とともに矢印Ｘ方向に向けて移動（変位）する。このとき、矢印Ｘ方向に変位（移動）する第二ベースプレート９に対し、第一ベースプレート８は移動することがない（戸体１に対して第一ベースプレート８が相対移動する）ので、作動片１３は、枢支ピン１９による枢支部が第一ベースプレート８により位置規制される状態となり、枢支ピン１９（枢支部）を支点として揺動し、下端縁が矢印Ｘ方向（前方（屋外側）、反時計回り方向）に変位する一方、作動ワイヤ１１が連結される上端面１３ａが矢印反Ｘ方向（後方（屋内側）、反時計回り方向）に向けて揺動変位するように設定されている。ここで、作動片１３は、本発明の戸体１への負荷により作動する部材に相当しており、枢支ピン１９を支点とする揺動をするが、前述したように、枢支ピン１９より下方部位の長さＨ１は、上方部位の長さＨ２よりも短く設定されている。これによって、第二ベースプレート９の移動ストロークに対し、作動プレート１３の上端縁（作動ワイヤ１１取り付け部位）における揺動ストロークが大きく増幅されて、作動ワイヤ１１の変位を大きくすることができるように配慮されている。
【００１９】
そして、作動体１３が揺動することにより、作動体１３の上端縁から延出する作動ワイヤ１１の基端部が後方に向けて変位することにより、作動ワイヤ１１が固定支持ピン１７ｃを戸尻側（後方）に向けて変位させるように引っ張られ、これによって、固定支持ピン１７ｃが弾機１７ｅに抗し、ロック体１７とともに戸尻側に強制的に変位せしめられてロック体１７が案内ローラ４に干渉する作用姿勢となるように設定され、この状態になると、ロック片１７ａが案内ローラ４とレール本体部６ｂとのあいだに嵌入して、案内ローラ４が戸先側に移動するのを規制して戸体１の自閉を停止させるように設定されている。
因みに、戸体１の自閉を緊急停止するときの戸体１への負荷の大きさは、第一ベースプレート８の第一長孔８ｆに介装される圧縮弾機８ｈの付勢力、そして、ブレーキユニット１４のロック体１７に連結される固定支持ピン１７ｃとピン体１６ｄとのあいだに介装される弾機１７ｅの付勢力の大きさに基づいて設定されるものであり、戸体１の設置環境等にあわせて適宜設定することができる。
【００２０】
叙述の如く構成された本形態において、開口部を閉鎖する戸体１は、把手１ｂを把持して戸尻側に向けて押しやることで開放し、把手１ｂから手を放すことで自動閉鎖する。そして、開口部を出入りしようとする人が戸体１にぶつかって、戸体１が出入り方向に変位したような場合では、前述したように、第二ベースプレート９が第一ベースプレート８に対して相対移動し、これによって、ブレーキユニット１４のロック体１７が案内ローラ４に干渉する作用姿勢に変姿して、戸体１の自閉作動を緊急停止することができる。これによって、従来のように、身体の不自由な人が出入りする際に戸体にあたってしまったような場合に、自閉する戸体に押されて転倒してしまうような不具合がなく、戸体１が緊急停止することで、身体の姿勢を立て直すことも可能となる。
【００２１】
さらに、このものでは、従来の自閉式引き戸装置の戸先側のローラユニットを前記戸先側ローラユニット２に交換するだけの簡単な作業で、戸体１の自閉作動を緊急停止させるための機能を付与することができ、簡単、かつ、容易にユニバーサルデザイン（バリアフリー）に対応させることが可能で、しかも、操作性のよい引き戸装置とすることができるという利点がある。
【００２２】
しかもこのものでは、戸体１の出入り方向の揺動に伴い、ロック体１７のロック片１７ａが直接案内ローラ４に当接して案内ローラ４の移動を規制するように構成したので、応答性よく自閉作動を緊急停止することができる。
【００２３】
尚、本発明は、前記実施の形態に限定されないことは勿論であって、図８、９に示す第二の実施の形態のようにすることができる。
前記第二の実施の形態の戸体２０は、上縁部と戸尻側縁部とでＬ字形に形成された枠部２０ａと、該枠部２０ａに対し、戸先側部位が所定の揺動ストロークで前後方向に揺動する戸部２０ｂとにより構成されており、該戸部２０ｂが本発明の戸体２０への負荷により作動する部材に相当している。そして、枠部２０ａの上縁部に設けられる戸先側、戸尻側のローラユニット２１、２２は、それぞれ前記第一の実施の形態の戸尻側ローラユニット３と同様に構成され、戸先側のローラユニット２１に、前記第一の実施の形態のブレーキユニット１４がそのままの構成で設けられている。つまり、戸先側ローラユニット２１は、枠部２０ａ上端面２０ｃに固定される戸体支持片２３ａと、案内ローラ４が軸承されるローラ支持片２３ｂとを備えた戸先側支持ブラケット２３を備えて構成されており、ローラ支持片２３ｂに、案内ローラ４とブレーキユニット１４を構成する第一固定片１５の左右脚片１５ａが固定されている。
【００２４】
そして、このものでは、作動ワイヤ２４の一端部を、戸先側支持ブラケット２３のローラ支持片２３ｂの上部であって、固定支持ピン１７ｃよりも上方、かつ、戸尻側に配された第一固定螺子２３ｃに固定し、遊端がブレーキユニット１４のロック体１７を一体的に支持する固定支持ピン１７ｃの頭部１７ｄに戸先側から懸け回されている。一方、ブレーキユニット１４を構成する第一、第二固定片１５、１６を一体化するための螺子１６ｅは、固定支持ピン１７ｃよりも下方で、かつ、戸尻側に位置しているが、本実施の形態では螺子１６ｅの頭部１６ｆが前方に突出して設けられている。そして、前記固定支持ピン１７ｃに懸け回された作動ワイヤ２４は、前記ブレーキユニット１４に設けられた螺子１６ｅの頭部１６ｆに戸尻側から懸け回された後、戸部２０ｂの戸先側上部に固定されることにより、ブレーキユニット１４と戸体２０とのあいだに張設されている。そして、戸部２０ｂが枠部２０ａに対して面一状に支持される状態では、固定支持ピン１７ｃは弾機１７ｅの付勢力を受けて非作用姿勢に保持されるが、戸部２０ｂが枠部２０ａに対して出入り（前後）方向に揺動した場合では、作動ワイヤ２４が固定支持ピン１７ｃを弾機１７ｅに抗して戸尻側に引っ張って変位させ、ロック体１７を作用姿勢に変姿し、自閉する戸体２０の自閉を緊急停止させるように構成されている。そして、このものでも、前記第一の実施の形態と同様の効果を得ることができる。
【図面の簡単な説明】
【００２５】
【図１】自閉式引き戸装置の概略正面図である。
【図２】図２（Ａ）、（Ｂ）、（Ｃ）はそれぞれ戸尻側ローラユニットの側面図、平面図、正面図である。
【図３】図３（Ａ）、（Ｂ）、（Ｃ）はそれぞれ第一ベースプレートにブレーキユニットを取り付けた状態の側面図、平面図、正面図である。
【図４】図４（Ａ）、（Ｂ）、（Ｃ）はそれぞれ第二ベースプレートの側面図、平面図、正面図である。
【図５】図５（Ａ）、（Ｂ）、（Ｃ）はそれぞれブレーキユニットの側面図、平面図、正面図である。
【図６】戸先側ローラユニットの側面図である。
【図７】図７（Ａ）、（Ｂ）はそれぞれ戸先側ローラユニットの平面図、正面図である。
【図８】第二の実施の形態における自閉式引き戸装置の概略正面図である。
【図９】図９（Ａ）、（Ｂ）、（Ｃ）はそれぞれ第二の実施の形態における戸先側ローラユニットの側面図、平面図、正面図である。
【符号の説明】
【００２６】
１    戸体
２    戸先側ローラユニット
６    案内レール
７    支持ブラケット
８    第一ベースプレート
８ｆ    第一長孔
８ｅ    起立片
９    第二ベースプレート
１０    固定アーム
１１    作動ワイヤ
１３    作動片
１４    ブレーキユニット
１７    ロック体
１８    固定ボルト
１９    枢支ピン
【図１】
2008111239.tif 000003
【図２】
2008111239.tif 000004
【図３】
2008111239.tif 000005
【図４】
2008111239.tif 000006
【図５】
2008111239.tif 000007
【図６】
2008111239.tif 000008
【図７】
2008111239.tif 000009
【図８】
2008111239.tif 000010
【図９】
2008111239.tif 000011